(57)【要約】【課題】  本発明の目的は、インクジェット記録用インクとして、耐水性が良好で目詰まりなく安定な吐出性能を有するとともに、耐光性においても優れた性能を有するインクジェット記録液を提供することにある。【解決手段】  下記一般式（２）で表され、少なくとも一つのスルフォン酸基と、総炭素数１０以上のバラスト基を有する染料を含有することを特徴とするインクジェット記録液。    【化１】2004169045.tif 000024〔式中、Ｒ4は、置換基を表し、Ｒ5は、アリール基またはへテロ環基を表し、Ｚは５〜６員環を構成するのに必要な原子団を表す。〕【選択図】        なし【特許請求の範囲】
【請求項１】
下記一般式（２）で表され、少なくとも一つのスルフォン酸基と、総炭素数１０以上のバラスト基を有する染料を含有することを特徴とするインクジェット記録液。
【化１】
2004169045.tif 000023
〔式中、Ｒ4は、置換基を表し、Ｒ5は、アリール基またはへテロ環基を表し、Ｚは５〜６員環を構成するのに必要な原子団を表す。〕
【発明の詳細な説明】
【技術分野】
【０００１】
本発明は、特定の染料を含有するインクジェット記録液に関するものである。
【背景技術】
【０００２】
インクジェット用のインクにおいては、その使用される記録方式に適合すること、高い記録画像濃度を有し色調が良好であること、耐光性や耐熱性および耐水性といった色画像堅牢性に優れること、被記録媒体に対して定着が速く記録後ににじまないこと、インクとしての保存性に優れていること、毒性や引火性といった安全性に問題がないこと、安価であること等が要求され、このような観点から、種々のインクジェット用の記録液が提案、検討されている。これら記録液には、酸性染料、直接染料、反応性染料、顔料等の中から上記インク特性を考慮して、色材が選択されてきた。
【０００３】
しかしながら、インクに求められる諸特性を同時に満足する色材はいまだ見いだされていない。例えば、耐水性については、メディア側の対応でプリントの耐水性はかなり良くなったものの、いまだ普通紙にプリントした場合の耐水性は十分とはいえない。このため、種々の方法（例えば、特開昭５５−１４４０６７号、同５５−１５２７４７号、同６２−２４６９７４号、特開平１−２１０４６４号等）が検討されてきたが、いまだ十分な方法は提案されてない。
【０００４】
本発明は染料水溶液の粘度特性において、従来にない特性を示す染料を選択し、インク化するものである。インクに増粘性の添加剤を加える技術はあるものの、従来、染料そのもので耐水性を付与する粘度特性を与えるものはない。
【０００５】
また、本発明は染料構造に、少なくとも一つのスルフォン酸基と、総炭素数１０以上のバラスト基を有することが特徴であり、このバランスによりインク中への溶解性と、メディア上での耐水性を両立するものである。これに類似の染料が、特開平７−１９６９６７号、同７−２０７２０３号、同７−２０７２０４号に開示されているが、これらは、特定の黒色アゾ染料についてのみの発明であり、本発明のアゾ染料には言及していない。
【０００６】
また、特開平３−２３１９７５号には、少なくとも一つのスルフォン酸基と、総炭素数１０以上のバラスト基を有するアゾメチン染料（マゼンタ）が開示されているが、耐水性、耐光性を改良している発明でなく、本発明のアゾ染料とは全く違う構造の化合物である。
【発明の開示】
【発明が解決しようとする課題】
【０００７】
したがって、本発明の目的は、インクジェット記録用インクとして、耐水性が良好で目詰まりなく安定な吐出性能を有するとともに、耐光性においても優れた性能を有するインクジェット記録液を提供することにある。
【課題を解決するための手段】
【０００８】
本発明の上記目的は下記構成により達成された。
【０００９】
（１）．下記一般式（２）で表され、少なくとも一つのスルフォン酸基と、総炭素数１０以上のバラスト基を有する染料を含有することを特徴とするインクジェット記録液。
【００１０】
【化１】
2004169045.tif 000002
【００１１】
〔式中、Ｒ4は、置換基を表し、Ｒ5は、アリール基またはへテロ環基を表し、Ｚは５〜６員環を構成するのに必要な原子団を表す。〕
【発明の効果】
【００１２】
本発明により、インクジェット記録用インクとして、耐水性が良好で目詰まりなく安定な吐出性能を有するとともに、耐光性においても優れた性能を有するインクジェット記録液を提供することができた。
【発明を実施するための最良の形態】
【００１３】
以下、本発明を詳細に説明する。
【００１４】
前記一般式（２）において、Ｒ4は置換基を表し、Ｒ5はアリール基またはへテロ環基を表し、Ｚは５〜６員環を構成するのに必要な原子団を表す。
【００１５】
前記一般式（２）において、
Ｒ4で表される置換基としては、アルキル基（炭素数１〜２０の直鎖、もしくは分岐のものが挙げられ、例えばメチル基、エチル基、ｎ−プロピル基、ｎ−デシル基、ｎ−ペンタデシル基、ｉ−プロピル基、ｔ−ブチル基等）、アリール基（炭素数６〜２０の置換もしくは、無置換のアリール基であり、例えば、フェニル基、ナフチル基等が挙げられ、置換基を有する場合は、アルキル基、アルコキシ基、アリールオキシ基、ハロゲン原子、ヒドロキシ基、アミノ基、アシルアミノ基、スルフォンアミド基、カルボキシル基、アルコキシカルボニル基、スルフォン酸基等の置換基を有してもよい）、ヘテロ環基（例えば、ピリジル基、チエニル基、フリル基、オキサゾリル、イミダゾリル基等）、アミノ基（１〜３級のアミノ基が挙げられ、例えば、メチルアミノ基、ジメチルアミノ基、ジブチルアミノ基等）、アニリノ基（置換もしくは無置換のアニリノ基が挙げられ、置換基を有する場合は、アルキル基、アルコキシ基、アリールオキシ基、ハロゲン原子、ヒドロキシ基、アミノ基、アシルアミノ基、スルフォンアミド基、カルボキシル基、アルコキシカルボニル基、スルフォン酸基等の置換基を有してもよい）、アルコキシ基（炭素数１〜２０の直鎖、もしくは分岐のものであり、例えば、メトキシ基、エトキシ基、デシルオキシ基、ドデシルオキシ基、ヘキサデシルオキシ基、イ−プロピルオキシ基等）、アリールオキシ基（炭素数６〜２０の置換もしくは、無置換のアリールオキシ基であり、例えば、フェニルオキシ基、ナフチルオキシ基等が挙げられ、置換基を有する場合は、アルキル基、アルコキシ基、アリールオキシ基、ハロゲン原子、ヒドロキシ基、アミノ基、アシルアミノ基、スルフォンアミド基、カルボキシル基、アルコキシカルボニル基、スルフォン酸基等の置換基を有してもよい）等が挙げられる。上記の各置換基はさらに、置換可能な置換基を有してもよい。
【００１６】
Ｒ5で表されるアリール基またはへテロ環基としては、炭素数６〜２０の置換もしくは、無置換のアリール基が挙げられ、例えば、フェニル基、ナフチル基等であり、置換基を有する場合は、アルキル基、アルコキシ基、アリールオキシ基、ハロゲン原子、ヒドロキシ基、アミノ基、アシルアミノ基、スルフォンアミド基、カルボキシル基、アルコキシカルボニル基、スルフォン酸基等の置換基を有してもよい。また、へテロ環基としては、例えば、ピリジル基、チエニル基、フリル基、オキサゾリル、イミダゾリル基等が挙げられる。Ｒ5として好ましい具体例を下記に示す。
【００１７】
【化２】
2004169045.tif 000003
【００１８】
Ｚで表される５〜６員環を構成するのに必要な原子団としては、炭素原子、酸素原子、窒素原子、硫黄原子などの原子で構成されてもよく、また、Ｚで表される原子団が、縮合環であってもよい。Ｚで表される５〜６員環を構成するのに必要な原子団の好ましい例を、染料の全体構造として下記一般式（５）および（６）に示す。
【００１９】
【化３】
2004169045.tif 000004
【００２０】
〔式中、Ｒ12、Ｒ13は、各々置換基を表し、Ｒ14は、アリール基またはへテロ環基を表す。〕
【００２１】
【化４】
2004169045.tif 000005
【００２２】
〔式中、Ｒ15、Ｒ16は、各々置換基を表し、Ｒ17は、アリール基またはへテロ環基を表す。〕
一般式（５）のＲ12、Ｒ13及び一般式（６）のＲ15、Ｒ16で各々表される置換基としては、一般式（２）のＲ4で表される置換基と各々同義である。
【００２３】
一般式（５）のＲ14及び一般式（６）のＲ17で各々表されるアリール基またはへテロ環基としては、上記Ｒ5で示すアリール基またはへテロ環基と各々同義である。
【００２４】
本発明の染料は少なくとも一つのスルフォン酸基と、総炭素数１０以上のバラスト基を有するが、ここでいうスルフォン酸基は、Ｒ4、Ｒ5、もしくは（Ｚで表わされる原子団またはそれへの置換基）のいずれかに置換していればよく、特に限定はない。また、スルフォン酸基が２つ以上置換している場合も同様である。本発明の染料で好ましいものは、Ｒ5に少なくとも一つのスルフォン酸基を有するものである。
【００２５】
本発明のスルフォン酸基は、カウンターカチオンを有していても、いなくてもよい。この場合のカチオンとしては、アルカリ金属イオン、アルカリ土類金属イオン、アンモニウムイオン、４級アンモニウムイオン等が挙げられ、アルカリ金属イオンが好ましく、特にナトリウム、カリウムが好ましい。
【００２６】
また、総炭素数１０以上のバラスト基とは、アルキル基、アリール基、及びへテロ原子で構成される結合の組み合わせとして、総炭素数１０以上からなる原子団で、染料の発色系を直接構成するもの以外を表わし、好ましくは総炭素数が１２以上であることが好ましい、また、総炭素数１０以上のバラスト基はＲ4、Ｒ5、もしくは（Ｚで表わされる５〜６員環を構成するのに必要な原子団またはそれへの置換基）のいずれかに置換していればよく、特に限定はない。本発明の染料で好ましいものは、Ｒ4、もしくは（Ｚで表わされる５〜６員環を構成するのに必要な原子団またはそれへの置換基）のいずれかに総炭素数１０以上のバラスト基を有するものである。総炭素数１０以上のバラスト基として好ましい構造を次に示す。
【００２７】
【化５】
2004169045.tif 000006
【００２８】
以下に本発明の一般式（２）で表され、少なくとも一つのスルフォン酸基と、総炭素数１０以上のバラスト基を有する染料を含む具体的化合物例を示すが、これらに限定されるものではない。
【００２９】
【化６】
2004169045.tif 000007
【００３０】
【化７】
2004169045.tif 000008
【００３１】
【化８】
2004169045.tif 000009
【００３２】
【化９】
2004169045.tif 000010
【００３３】
【化１０】
2004169045.tif 000011
【００３４】
【化１１】
2004169045.tif 000012
【００３５】
【化１２】
2004169045.tif 000013
【００３６】
【化１３】
2004169045.tif 000014
【００３７】
本発明の一般式（２）で表され、少なくとも一つのスルフォン酸基と、総炭素数１０以上のバラスト基を有する染料の合成例を以下に記す。
合成例１．例示化合物Ｍ１の合成
合成スキーム
【００３８】
【化１４】
2004169045.tif 000015
【００３９】
ジアゾニウム塩の調製
ｐ−スルフォアニリン１．７ｇ、炭酸ナトリウム０．５３ｇを２０ｍｌの水に溶解した。この溶液を氷令し、内温を１５℃にし、そこへ亜硝酸ナトリウム０．７６ｇを３ｍｌの水に溶かした溶液を少しづつ加えた。この間内温は１５℃以下とした。この溶液を濃塩酸２．１ｍｌ，氷１８ｇの中に少しづつ加えた。この間内温は５℃以下とした。
Ｍ１の合成
化合物１，６．７ｇを、メタノール５０ｍｌ、水酸化ナトリウム１．２ｇ、水１２ｍｌの溶液に溶解、氷冷し、内温を５℃にした。ここへ、上記ジアゾニウム塩を少しづつ加えた。
【００４０】
この間内温は８℃以下にした。添加後、約２時間撹拌を続けた。この混合物から、メタノールを減圧留去後、混合物に酢酸エチル４０ｍｌを加え、分液ロートにて分液した。生成した黄色色素はほとんど水層に分配しており、この水層を集め、減圧乾燥で水を留去し、目的物を得た。収量７．８ｇ。
合成例２．例示化合物Ｃ９の合成
合成スキーム
【００４１】
【化１５】
2004169045.tif 000016
【００４２】
合成例１において、ｐ−スルフォアニリン１．７ｇ、化合物１，６．７ｇの代わりにｐ−スルフォアニリン１．７３ｇ、化合物２，４．７ｇをそれぞれ用いた他は合成例１と同様にして目的物Ｃ９を得た。収量５．２ｇ
合成例３．例示化合物Ｍ１５の合成
合成スキーム
【００４３】
【化１６】
2004169045.tif 000017
【００４４】
合成例１において、ｐ−スルフォアニリン１．７ｇ、化合物１，６．７ｇの代わりにｐ−スルフォアニリン１．７３ｇ、化合物３，４．７ｇをそれぞれ用いた他は合成例１と同様にして目的物Ｍ１５を得た。収量４．９ｇ
本発明の一般式（２）で表され、少なくとも一つのスルフォン酸基と、総炭素数１０以上のバラスト基を有する染料を含有するインクジェット記録液は、水系インクジェット記録液、油系インクジェット記録液、固体（相変化）インクジェット記録液等として用いることができるが、水系インクジェット記録液（例えばインク総質量あたり１０質量％以上の水を含有する水系インクジェット記録液等）として特に好ましく用いることができる。
【００４５】
水系インクジェット記録液は、一般式で表される染料の他に溶剤として水と水溶性有機溶媒を併用することが好ましい。
【００４６】
水溶性有機溶媒の例としては、アルコール類（例えば、メタノール、エタノール、プロパノール、イソプロパノール、ブタノール、イソブタノール、セカンダリーブタノール、ターシャリーブタノール、ペンタノール、ヘキサノール、シクロヘキサノール、ベンジルアルコール等）、多価アルコール類（例えば、エチレングリコール、ジエチレングリコール、トリエチレングリコール、ポリエチレングリコール、プロピレングリコール、ジプロピレングリコール、ポリプロピレングリコール、ブチレングリコール、ヘキサンジオール、ペンタンジオール、グリセリン、ヘキサントリオール、チオジグリコール等）、多価アルコールエーテル類（例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、プロピレングリコールモノメチルエーテル、プロピレングリコールモノブチルエーテル、エチレングリコールモノメチルエーテルアセテート、トリエチレングリコールモノメチルエーテル、トリエチレングリコールモノエチルエーテル、トリエチレングリコールモノブチルエーテル、エチレングリコールモノフェニルエーテル、プロピレングリコールモノフェニルエーテル等）、アミン類（例えば、エタノールアミン、ジエタノールアミン、トリエタノールアミン、Ｎ−メチルジエタノールアミン、Ｎ−エチルジエタノールアミン、モルホリン、Ｎ−エチルモルホリン、エチレンジアミン、ジエチレンジアミン、トリエチレンテトラミン、テトラエチレンペンタミン、ポリエチレンイミン、ペンタメチルジエチレントリアミン、テトラメチルプロピレンジアミン等）、アミド類（例えば、ホルムアミド、Ｎ，Ｎ−ジメチルホルムアミド、Ｎ，Ｎ−ジメチルアセトアミド等）、複素環類（例えば、２−ピロリドン、Ｎ−メチル−２−ピロリドン、シクロヘキシルピロリドン、２−オキサゾリドン、１，３−ジメチル−２−イミダゾリジノン等）、スルホキシド類（例えば、ジメチルスルホキシド等）、スルホン類（例えば、スルホラン等）、尿素、アセトニトリル、アセトン等が挙げられる。好ましい水溶性有機溶媒としては、多価アルコール類が挙げられ、特に好ましい例としてはグリセリンが挙げられる。水溶性有機溶媒は単独もしくは複数を併用しても良い。水溶性有機溶媒の水系インクジェット記録液中の添加量としては、総量で５〜６０質量％であり、好ましくは１０〜３０質量％である。水溶性有機溶媒は単独もしくは複数を併用しても良い。
【００４７】
上記のような水系インクジェット記録液において、染料はその溶媒系に可溶であればそのまま溶解して用いることができる。一方、そのままでは不溶の固体である場合、染料を種々の分散機（例えば、ボールミル、サンドミル、アトライター、ロールミル、アジテーターミル、ヘンシェルミキサー、コロイドミル、超音波ホモジナイザー、パールミル、ジェットミル、オングミル等）を用いて微粒子化するか、あるいは可溶である有機溶媒に染料を溶解した後に、高分子分散剤や界面活性剤とともにその溶媒系に分散させることができる。さらに、そのままでは不溶の液体または半溶融状物である場合、そのままかあるいは可溶である有機溶媒に溶解して、高分子分散剤や界面活性剤とともにその溶媒系に分散させることができる。このような水系インクジェット記録液の具体的調製法については、例えば特開平５−１４８４３６号、同５−２９５３１２号、同７−９７５４１号、同７−８２５１５号、同７−１１８５８４号等に記載の方法を参照することができる。
【００４８】
油系インクジェット記録液は、本発明の染料の他に溶媒として有機溶媒を使用する。
【００４９】
油系インクジェット記録液の溶媒の例としては、上記水系インクジェット記録液において水溶性有機溶媒として例示したものに加えて、アルコール類（例えば、ペンタノール、ヘプタノール、オクタノール、フェニルエチルアルコール、フェニルプロピルアルコール、フルフリルアルコール、アニルアルコール等）、エステル類（エチレングリコールジアセテート、エチレングリコールモノメチルエーテルアセテート、ジエチレングリコールモノメチルエーテルアセテート、プロピレングリコールジアセテート、酢酸エチル、酢酸アミル、酢酸ベンジル、酢酸フェニルエチル、酢酸フェノキシエチル、フェニル酢酸エチル、プロピオン酸ベンジル、安息香酸エチル、安息香酸ブチル、ラウリン酸ブチル、ミリスチン酸イソプロピル、リン酸トリエチル、リン酸トリブチル、フタル酸ジエチル、フタル酸ジブチル、マロン酸ジエチル、マロン酸ジプロピル、ジエチルマロン酸ジエチル、コハク酸ジエチル、コハク酸ジブチル、グルタル酸ジエチル、アジピン酸ジエチル、アジピン酸ジプロピル、アジピン酸ジブチル、アジピン酸ジ（２−メトキシエチル）、セバシン酸ジエチル、マレイン酸ジエチル、マレイン酸ジブチル、マレイン酸ジオクチル、フマル酸ジエチル、フマル酸ジオクチル、ケイ皮酸−３−ヘキセニル等）、エーテル類（例えば、ブチルフェニルエーテル、ベンジルエチルエーテル、ヘキシルエーテル等）、ケトン類（例えば、ベンジルメチルケトン、ベンジルアセトン、ジアセトンアルコール、シクロヘキサノン等）、炭化水素類（例えば、石油エーテル、石油ベンジル、テトラリン、デカリン、ターシャリーアミルベンゼン、ジメチルナフタリン等）、アミド類（例えば、Ｎ，Ｎ−ジエチルドデカンアミド等）が挙げられる。
【００５０】
上記のような油系インクジェット記録液において、染料はそのまま溶解させて用いることができ、また樹脂状分散剤や結合剤を併用して分散または溶解させて用いることもできる。
【００５１】
このような油系インクジェット記録液の具体的調製法については、特開平３−２３１９７５号、特表平５−５０８８８３号等に記載の方法を参照することができる。
【００５２】
固体（相変化）インクジェット記録液は、室温で固体でありかつインクの加熱噴射時には溶融した液体状である相変化溶媒を使用する。
【００５３】
このような相変化溶媒としては、天然ワックス（例えば、密ロウ、カルナウバワックス、ライスワックス、木ロウ、ホホバ油、鯨ロウ、カンデリラワックス、ラノリン、モンタンワックス、オゾケライト、セレシン、パラフィンワックス、マイクロクリスタリンワックス、ペトロラクタム等）、ポリエチレンワックス誘導体、塩素化炭化水素、有機酸（例えば、パルミチン酸、ステアリン酸、ベヘン酸、チグリン酸、２−アセトナフトンベヘン酸、１２−ヒドロキシステアリン酸、ジヒドロキシステアリン酸等）、有機酸エステル（例えば、上記した有機酸のグリセリン、ジエチレングリコール、エチレングリコール等のアルコールとのエステル等）、アルコール（例えば、ドデカノール、テトラデカノール、ヘキサデカノール、エイコサノール、ドコサノール、テトラコサノール、ヘキサコサノール、オクタコサノール、ドデセノール、ミリシルアルコール、テトラセノール、ヘキサデセノール、エイコセノール、ドコセノール、ピネングリコール、ヒノキオール、ブチンジオール、ノナンジオール、イソフタリルアルコール、メシセリン、テレアフタリルアルコール、ヘキサンジオール、デカンジオール、ドデカンジオール、テトラデカンジオール、ヘキサデカンジオール、ドコサンジオール、テトラコサンジオール、テレビネオール、フェニルグリセリン、エイコサンジオール、オクタンジオール、フェニルプロピレングリコール、ビスフェノールＡ、パラアルファクミルフェノール等）、ケトン（例えば、ベンゾイルアセトン、ジアセトベンゼン、ベンゾフェノン、トリコサノン、ヘプタコサノン、ヘプタトリアコンタノン、ヘントリアコンタノン、ヘプタトリアコンタノン、ステアロン、ラウロン、ジアニソール等）、アミド（例えば、オレイン酸アミド、ラウリル酸アミド、ステアリン酸アミド、リシノール酸アミド、パルミチン酸アミド、テトラヒドロフラン酸アミド、エルカ酸アミド、ミリスチン酸アミド、１２−ヒドロキシステアリン酸アミド、Ｎ−ステアリルエルカ酸アミド、Ｎ−オレイルステアリン酸アミド、Ｎ，Ｎ′−エチレンビスラウリン酸アミド、Ｎ，Ｎ′−エチレンビスステアリン酸アミド、Ｎ，Ｎ′−エチレンビスオレイン酸アミド、Ｎ，Ｎ′−メチレンビスステアリン酸アミド、Ｎ，Ｎ′−エチレンビスベヘン酸アミド、Ｎ，Ｎ′−キシリレンビスステアリン酸アミド、Ｎ，Ｎ′−ブチレンビスステアリン酸アミド、Ｎ，Ｎ′−ジオレイルアジピン酸アミド、Ｎ，Ｎ′−ジステアリルアジピン酸アミド、Ｎ，Ｎ′−ジオレイルセバシン酸アミド、Ｎ，Ｎ′−システアリルセバシン酸アミド、Ｎ，Ｎ′−ジステアリルテレフタル酸アミド、Ｎ，Ｎ′−ジステアリルイソフタル酸アミド、フェナセチン、トルアミド、アセトアミド、オレイン酸２量体／エチレンジアミン／ステアリン酸（１：２：２のモル比）のような２量体酸とジアミンと脂肪酸の反応生成物テトラアミド等）、スルホンアミド（例えば、パラトルエンスルホンアミド、エチルベンゼンスルホンアミド、ブチルベンゼンスルホンアミド等）、シリコーン類（例えば、シリコーンＳＨ６０１８（東レシリコーン）、シリコーンＫＲ２１５，２１６，２２０（信越シリコーン）等）、クマロン類（例えば、エスクロンＧ−９０（新日鐵化学）等）、コレステロール脂肪酸エステル（例えば、ステアリン酸コレステロール、パルミチン酸コレステロール、ミリスチン酸コレステロール、ベヘン酸コレステロール、ラウリン酸コレステロール、メリシン酸コレステロール等）、糖類脂肪酸エステル（ステアリン酸サッカロース、パルミチン酸サッカロース、ベヘン酸サッカロース、ラウリン酸サッカロース、メリシン酸サッカロース、ステアリン酸ラクトース、パルミチン酸ラクトース、ミリスチン酸ラクトース、ベヘン酸ラクトース、ラウリン酸ラクトース、メリシン酸ラクトース等）が挙げられる。
【００５４】
固体インクジェット記録液の固体−液体相変化における相変化温度は、６０℃以上であることが好ましく、８０〜１５０℃であることがより好ましい。
【００５５】
上記のような固体インクジェット記録液において、加熱した溶融状態の溶媒に本発明の染料をそのまま溶解させて用いることができ、また樹脂状分散剤や結合剤を併用して分散または溶解させて用いることもできる。
【００５６】
このような固体インクジェット記録液の具体的調製法については、特開平５−１８６７２３号、同７−７０４９０号等に記載の方法を参照することができる。
【００５７】
上記したような水系、油系、固体の各インクジェット記録液は、その飛翔時の粘度として４０ｍＰａ・ｓ以下が好ましく、３０ｍＰａ・ｓ以下であることがより好ましい。
【００５８】
本発明のインクジェット記録液は、その飛翔時の表面張力として２００μＮ／ｃｍ以上が好ましく、４００〜６００μＮ／ｃｍであることが、より好ましい。
【００５９】
本発明のインクジェット記録液においては、吐出安定性、プリントヘッドやインクカートリッジ適合性、保存安定性、画像保存性、その他の諸性能向上の目的に応じて、粘度調整剤、表面張力調整剤、比抵抗調整剤、皮膜形成剤、分散剤、界面活性剤、紫外線吸収剤、酸化防止剤、退色防止剤、防ばい剤、防錆剤等を添加することもできる。
【００６０】
本発明のインクジェット記録液は、その使用する記録方式に関して特に制約はなく、コンティニュアス方式及びオンデマンド方式のインクジェットプリンタ用のインクジェット記録液として好ましく使用することができる。オンデマンド型方式としては、電気−機械変換方式（例えば、シングルキャビティー型、ダブルキャビティー型、ベンダー型、ピストン型、シェアーモード型、シェアードウォール型等）、電気−熱変換方式（例えば、サーマルインクジェット型、バブルジェット（Ｒ）型等）、静電吸引方式（例えば、電界制御型、スリットジェット型等）、放電方式（例えば、スパークジェット型等）などを具体的な例として挙げることができる。
【実施例】
【００６１】
以下、実施例を挙げて本発明を詳細に説明するが、本発明の態様はこれに限定されない。
【００６２】
実施例１
表１〜３に記載の組成を有する各インクジェット記録液組成物を作製し、インクジェットプリンタＭＪ−５０００Ｃ（セイコーエプソン株式会社製、電気−機械変換方式）によって、普通紙に記録、画像サンプルを得た。
【００６３】
このサンプルを用いて、下記のように定義した耐水性、耐光性の評価を行った。
《耐水性》
反射濃度約１．０のサンプルを、イオン交換水に５分間浸漬した。取り出したサンプルの濃度変化をもとに評価した。
【００６４】
○：  ほとんど変化なし
△：  濃度低下あり
×：  濃度低下大。
《耐光性》
反射濃度約１．０のサンプルを、Ｘｅフェードメーター（７００００Ｌｘ、５０時間）にいれ、濃度変化を評価した。
【００６５】
○：  ほとんど変化なし
△：  濃度低下あり
×：  濃度低下大。
《目詰まり》
３時間連続吐出後、３日間放置し、再度吐出させた際の状態で以下のように定義し、評価した。
【００６６】
○：  安定に吐出
△：  サテライトが目立つが吐出可能
×：  吐出不安定で、サテライト多い、もしくは吐出しない。
【００６７】
結果を表１〜３に示す。
【００６８】
【表１】
2004169045.tif 000018
【００６９】
【表２】
2004169045.tif 000019
【００７０】
【表３】
2004169045.tif 000020
【００７１】
表中の化合物を下記に記す。
【００７２】
【化１７】
2004169045.tif 000021
【００７３】
ＡＹ２３；  Ｃ．Ｉ．ＡＣＩＤ  ＹＥＬＬＯＷ２３
ＡＲ５２；  Ｃ．Ｉ．ＡＣＩＤ  ＲＥＤ５２
ＡＢ９  ；  Ｃ．Ｉ．ＡＣＩＤ  ＢＬＵＥ９
ＧＬＹ．；  グリセリン
ＤＥＧ．；  ジエチレングリコール
ＴＥＧＢ．；  トリエチレングリコールモノブチルエーテル
ＩＰＡ．；  イソプロパノール
Ｐｙｒ．；  ２−ピロリジノン
ＴＭＰ．；  トリメチロールプロパン
ＰＥＤ．；  １，５−ペンタンヂオール
ＴＤＥ．；  ２，２′−チオジエタノール
尚、表１〜３において、染料濃度は、インクジェット記録液を１０００倍希釈した際の吸光度が１になるように調整した。また、活性剤はインクジェット記録液全量の１質量％添加した。
【００７４】
表１〜３から明らかなように、本発明のインクジェット記録液を用いインクジェットプリンターにてプリントした、試料は、比較のインクジェット記録液を使用した場合に比較して、耐水性良好であり、かつ耐光性が良好であることが分かる。また、本発明のインクジェット記録液は目詰まりを起こすことなく安定したプリントが可能であることがわかる。
【００７５】
実施例２
実施例１で調製した、インクジェット記録液１−１、１−２、１−３、１−４、１−５について２０℃と５０℃における粘度を粘度計（ＶＩＳＣＯ  ＭＡＴＥ  ＭＯＤＥＬ  ＶＭ−１Ａ、山一電気製作所）を用いて測定した。２０℃と５０℃の粘度および、２０℃と５０℃の粘度差を表４に示す。
【００７６】
【表４】
2004169045.tif 000022
【００７７】
表４、表１から明らかなように、本発明のインクジェット記録液を用いインクジェットプリンターにてプリントした試料は、比較のインクジェット記録を使用した場合に比較して、耐水性良好であり、かつ耐光性良好であることが分かる。また、本発明のインクジェット記録液は、目詰まりを起こすことなく、安定したプリントが可能であることが分かる。